(57)【要約】【課題】  複数の接続先の中から選択された宛先に対して画像を転送する装置において、宛先を選択しやすい宛先表示手段を提供する。【解決手段】  複数の接続手段を有する画像読み取り装置において、  複数の画像転送先を表示する転送先表示手段と、  画像転送先を選択する画像転送先選択手段と、  読み取った画像を選択された画像転送先に転送する画像転送手段と、  前記転送先表示手段の表示順は接続手段の最大接続長さが短い接続先を優先して表示する優先宛先表示手段を備える。【選択図】  図１
2010219900.tif 000002
【特許請求の範囲】
【請求項１】
複数の接続手段を有する画像読み取り装置において、
複数の画像転送先を表示する転送先表示手段と、
画像転送先を選択する画像転送先選択手段と、
読み取った画像を選択された画像転送先に転送する画像転送手段と、
前記転送先表示手段の表示順は接続手段の最大接続長さが短い接続先を優先して表示する事を特徴とする画像読み取り装置。
【請求項２】
複数のネットワーク接続とUSB接続という接続手段を有する画像読み取り装置において、
複数の画像転送先を表示する転送先表示手段と、
画像転送先を選択する画像転送先選択手段と、
読み取った画像を選択された画像転送先に転送する画像転送手段と、
前記転送先表示手段の表示順はUSB接続を優先して表示する事を特徴とする画像読み取り装置。
【発明の詳細な説明】
【技術分野】
【０００１】
本発明は画像読み取り装置の操作部に関するものである。
【背景技術】
【０００２】
ネットワーク接続されたPCやプリンタなどの外部機器に対してスキャナ等の読み取り装置から直接画像を転送する技術がある。（例えば、特許文献１参照）。
【先行技術文献】
【特許文献】
【０００３】
【特許文献１】特開平11-127298号公報
【発明の概要】
【発明が解決しようとする課題】
【０００４】
しかしながら、従来技術には下記のような課題がある。これまでの装置はその時点で有効な送信先のリスト表示を動的に行う場合、単純に接続順に表示していた。そのため、接続最大数を超えた送信先への送信が行えないことがあった。また、ユーザからみて優先して使用したい送信先がリストの後ろに表示される事があるなど使い勝手がよくないという課題があった。
【課題を解決するための手段】
【０００５】
上述した課題を解決するために、本発明は、
複数の接続手段（１８０）を有する画像読み取り装置（１００）において、
複数の画像転送先を表示する転送先表示手段（１１０）と、
画像転送先を選択する画像転送先選択手段（１１０）と、
読み取った画像を選択された画像転送先に転送する画像転送手段（１８０）と、
前記転送先表示手段（１１０）の表示順は接続手段の最大接続長さが短い接続先を優先して表示する事を特徴とする。
【発明の効果】
【０００６】
本発明により、優先度の高い画像送信先がリスト上位に表示されるため、ユーザの操作手順が軽減される。画像読み取り装置と近い場所で使うユーザの利便性が高まる。
【図面の簡単な説明】
【０００７】
【図１】構成を示すブロック図である。
【図２】システム構成図である。
【図３】スキャン機能の選択画面である。
【図４】宛先選択画面である。
【図５】スキャン種類の選択画面である。
【図６】宛先選択画面の別の例を示す図である。
【図７】宛先PCを管理するリストである。
【図８】宛先PCリスト管理のフローチャートである。
【発明を実施するための形態】
【０００８】
以下、本発明を実施するための最良の形態について図面を用いて説明する。
【実施例１】
【０００９】
図１は本発明第１実施例の構成を示すブロック図である。各ブロックはモジュールを示しており、ブロック間の矢印はデータもしくは指示の流れを示している。
【００１０】
図１において、１００は複写機である。１０１はＣＰＵであり、図1記載モジュールのプログラム実行を行う。１１０は操作部であり、ユーザへの情報通知を行ない、ユーザ指示を複写機内の各ブロックに伝える動作を行なう。１７０はスキャン部であり、原稿の読み込みを行ない、画像を後段モジュールに出力する。１３０はスキャン部１７０で読み取った画像や後述する外部I/F部１８０から入力されたデータの画像処理を行う画像処理部である。１４０は画像保存部であり、画像処理部１３０で処理された画像およびその属性の蓄積を行なう。１８０は複写機１００の外部へ画像を送信したり、外部からデータを入力したりする外部I/F部である。外部I/F１８０の中にはUSB I/F部１８１やN/W I/F部１８２が存在する。N/W I/F部は有線であっても無線であってもよい。１９０は画像を印刷するプリント部である。本ブロック図では、スキャン部１７０およびプリント部１９０を複写機１００の内部にある構成としたが、それぞれもしくは両方とも外部にある構成でもよい。
【００１１】
図２は本発明のシステム構成図である。２１０、２２０、２３０、２４０、２５０はPC（パーソナルコンピュータ）であり、２１０から２５０まで順番に「PC1」「PC2」「PC3」「PC4」「PC-A」とコンピュータ名がつけられている。２８０はネットワーク接続を示しており、２９０はUSB接続を示している。１００は前述した複写機であり、PC２１０、PC２２０、PC２３０、PC２４０とはネットワークで接続している。複写機１００とPC２５０はUSBケーブルで接続している。複写機１００で読み取った画像が宛先として選択されたPC２１０からPC２５０のいずれかに転送される。
【００１２】
各PCには画像転送用のスキャンアプリケーションがインストールされており、そのアプリケーションが起動している場合、PC２１０、２２０、２３０、２４０、２５０から複写機１００に対して定期的にポーリングパケットが送信される。ポーリングパケットには後述する図４で表示されるPC名および図５で表示されるスキャン種類の情報が含まれている。スキャン種類の情報はスキャンアプリケーション上に４つ登録されていて、ユーザによって設定変更可能である。
【００１３】
複写機１００はこのポーリングパケットによってスキャン画像の送信先として有効なPCを判別する。複写機１００はスキャン画像の有効な送信先を管理するためのリスト（図７にて説明）を保持している。新たなPCからポーリングパケットが来るたびに、リストの最後にPCを登録する。逆に、ポーリングパケットが途絶えて１分を経過した場合、複写機１００は該当PCを無効な送信先とみなしリストから外す。
【００１４】
図３は操作部１１０におけるスキャン機能の選択画面である。３００はユーザに装置のステータスを示すステータス表示エリアである。３０１はユーザが選択可能なスキャン機能のリストである。操作部１１０のハードキー（図示せず）において上下キーでリスト内の項目を移動し、OKキーで機能を選択する事ができる。３０２は現在フォーカスがあたっている機能が反転表示されている例である。この例ではスキャン画像をPCへ送信するScanToPCにフォーカスがあたっている。
【００１５】
図４は図３でScanToPC３０２を選択した場合の宛先選択画面である。３１０はユーザに操作を促す指示メッセージである。３１１はスキャン画像の送信先として有効なPCのリストである。３１２は送信先として有効なPC台数が１画面の表示範囲を超える場合に表示されるスクロールバーである。３１３は現在フォーカスがあたっているPCが反転表示されている例である。この例では図２の「PC1」２１０にフォーカスがあたっている。
【００１６】
図５は図４で宛先PCを選択した場合に表示される該当PCのスキャンアプリケーション上に登録されているスキャン種類の選択画面である。３２０はユーザに操作を促す指示メッセージである。３２１はスキャン種類を示すリストである。このリスト上のスキャン種類を選択することで、スキャン動作がはじまり、該当PCのスキャンアプリケーションに対して画像が転送される。
【００１７】
図６は図３でScanToPC３０２を選択した場合の宛先選択画面のもう一例である。この図では複写機１００とUSB接続である「PC-A」２５０を優先して表示している。
【００１８】
図７は宛先PCリストである。スキャン画像の送信先として有効なPCをこのリストを用いて管理している。リストの１行はPC名、スキャンアプリケーション上に登録されたスキャン種類名、最後にポーリングパケットを受けた時刻から構成される。
【００１９】
新たな有効PCを検知するたびにリストの最後に追加する。前述したとおり、ポーリングパケットが途絶えて無効と判断した場合、リストから削除する。各PCからポーリングパケットがくるたびに「最終更新時刻」列を更新する。
【００２０】
図８は宛先PCリスト管理のフローチャートである。複写機１００は絶えずこのフローチャートを実行し、スキャン画像の有効な宛先となるPCを管理する。
【００２１】
まず、S1000でPCからのパケット受信待ちを行う。パケットはN/WもしくはUSB I/Fを使ってPCとやりとりをする。パケット受信の際にタイムアウトを設定する。本実施例では１分でタイムアウトする。S1000をパケット受信もしくはタイムアウトで抜けるとS1001へ進む。S1001では受信したパケットが有効かどうかを判定する。無効なパケットもしくはタイムアウトだった場合はS1011へ進む。有効なパケットであった場合はS1002へ進む。
【００２２】
S1002ではパケットを送信してきたPCの特定を行う。次にS1003に進み、S1002で特定したPCは図７を用いて説明した宛先PCリストに登録されているかどうか判断する。登録されている場合はS1004へ進み、登録されていない場合はS1005へ進む。S1004ではS1002で特定したPCに関して、宛先PCリスト上の最終更新時刻を現在時刻で上書きする。更新が終わるとS1000へ戻る。
【００２３】
一方、S1005に進んだ場合は、PCと複写機１００との接続形態がUSBかどうかの判定を行う。USB接続の場合はS1006へ進み、そうでない場合はS1007へ進む。S1006ではUSB接続のため複写機１００の近くに存在する可能性が高いとみなし、宛先PCリストの先頭にS1002で特定したPCを追加する。追加が終わるとS1008へ進む。また、S1007では宛先リストの最後にPCを追加する。この処理によりUSB接続以外のPCは先着順でリストにソートされる事になる。リストへの追加が終わるとS1008へ進む。
【００２４】
S1008では宛先PCのリストの従った表示となるよう操作部の表示更新を行う。更新が終わるとS1000へ戻る。
【００２５】
S1011では宛先PCリスト上の各PCの最終更新時刻をチェックする。次にS1012に進み、チェックの結果最終更新時刻と現在時刻の差が１分以上あるものが存在するか判断する。１分以上経過したものが存在する場合はS1013へ進み、存在しない場合はS1000へ進む。S1013では宛先PCリストから１分経過したPCを削除する。次にS1008へ進み、前述したように操作部の表示更新を行う。
【００２６】
以上説明した内容により、優先度の高い画像送信先がリスト上位に表示されるため、ユーザの操作手順が軽減される。画像読み取り装置と近い場所で使うユーザの利便性が高まる。
【００２７】
なお、本実施例ではUSB接続をN/W接続より優先する方法を取ったが、接続手段の形態を判定し、無線LAN接続より赤外線接続を優先するなど、その接続手段における最大接続長さが短い接続先を優先させて表示させてもよい。
【符号の説明】
【００２８】
１００  複写機
１１０  操作部
１３０  画像処理部
１４０  画像保存部
１７０  スキャン部
１８０  外部I/F部
（「ＰＤＦ」は登録商標）
【図１】
2010219900.tif 000003
【図２】
2010219900.tif 000004
【図３】
2010219900.tif 000005
【図４】
2010219900.tif 000006
【図５】
2010219900.tif 000007
【図６】
2010219900.tif 000008
【図７】
2010219900.tif 000009
【図８】
2010219900.tif 000010